(57)【要約】【課題】商品の在庫を引き当てる場合に、１つの倉庫を指定するだけで、指定された倉庫に在庫がなくても自動的に在庫を引き当てることが可能な在庫管理装置を提供すること。【解決手段】本実施の形態に係る在庫管理装置は、倉庫と、当該倉庫の上位の倉庫とを関連づけて登録した倉庫マスタと、倉庫と、商品と、当該商品の出荷可能数を含む在庫データと、受注する場合に、倉庫、商品、及び数量を入力する受注入力処理手段と、前記在庫データを参照し、前記受注入力処理手段で入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理手段と、を備えている。【選択図】図１
2020126366.tif 000002
【特許請求の範囲】
【請求項１】
記憶部及び制御部を備えた在庫管理装置であって、
前記記憶部には、
倉庫と、当該倉庫の上位の倉庫とを関連づけて登録した倉庫マスタと、
倉庫と、商品と、当該商品の出荷可能数を含む在庫データと、
が格納されており、
前記制御部は、
受注する場合に、倉庫、商品、及び数量を入力する受注入力処理手段と、
前記在庫データを参照し、前記受注入力処理手段で入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理手段と、
を備えことを特徴とする在庫管理装置。
【請求項２】
前記倉庫マスタには、前記上位の倉庫について更に上位の倉庫を登録可能であり、
前記在庫引当処理手段は、
当該上位の倉庫に在庫がない場合には、前記倉庫マスタを参照し、当該上位の倉庫に対応する更に上位の倉庫に在庫があるか否かを確認し、在庫がある場合には、当該更に上位の倉庫の在庫を引き当てることを特徴とする請求項１に記載の在庫管理装置。
【請求項３】
前記記憶部には、
さらに、商品と、当該商品と互換性のある互換性商品とを関連づけて登録した互換性品番マスタが格納されており、
前記在庫引当処理手段は、
前記上位の倉庫に在庫が無い場合には、前記互換性品番マスタを参照し、当該商品に対応する互換性商品について、当該倉庫、当該上位の倉庫の順に在庫があるか否かを確認し、在庫のある倉庫の在庫を引き当てることを特徴とする請求項１又は２に記載の在庫管理装置。
【請求項４】
前記互換性品番マスタでは、互換性のある互換性商品を複数登録可能であり、さらに、各互換性商品について、在庫を引き当てる優先順位を登録可能であり、
前記在庫引当処理手段は、
前記互換性品番マスタにおいて、商品に対応する互換性商品が複数ある場合には、優先順位に従って倉庫の在庫を引き当てることを特徴とする請求項３に記載の在庫管理装置。
【請求項５】
前記記憶部には、
商品と仕入先とを関連づけて登録した品番マスタが格納されており、
前記制御部は、
前記商品に対応する互換性商品について在庫がない場合には、前記品番マスタを参照して、前記商品に対応する仕入先に発注する発注処理手段を備えたことを特徴とする請求項３又は請求項４に記載の在庫管理装置。
【請求項６】
前記在庫引当処理手段は、倉庫に入力された数量の全数の在庫がある場合に、在庫の引当を行うことを特徴とする請求項１〜５のいずれか１つに記載の在庫管理装置。
【請求項７】
制御部及び記憶部を備えた情報処理装置に実行させるための在庫管理方法であって、
前記記憶部には、
倉庫と、当該倉庫の上位の倉庫とを関連づけて登録した倉庫マスタと、
倉庫と、商品と、当該商品の出荷可能数を含む在庫データと、
が格納されており、
前記制御部において実行される、
受注する場合に、倉庫、商品、及び数量を入力する受注入力処理ステップと、
前記在庫データを参照し、前記受注入力処理ステップで入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理ステップと、
を含むことを特徴とする在庫管理方法。
【請求項８】
制御部及び記憶部を備えた情報処理装置に実行させるための在庫管理プログラムであって、
前記記憶部には、
倉庫と、当該倉庫の上位の倉庫とを関連づけて登録した倉庫マスタと、
倉庫と、商品と、当該商品の出荷可能数を含む在庫データと、
が格納されており、
前記制御部において、
受注する場合に、倉庫、商品、及び数量を入力する受注入力処理ステップと、
前記在庫データを参照し、前記受注入力処理ステップで入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理ステップと、
を実行させるための在庫管理プログラム。
【発明の詳細な説明】
【技術分野】
【０００１】
本発明は、在庫管理装置、在庫管理方法、及び在庫管理プログラムに関する。
【背景技術】
【０００２】
例えば、倉庫在庫の引き当てを行うシステムとして特許文献１がある。特許文献１のシステムでは、初期処理部は倉庫決定テーブル，ルート決定テーブル，輸配送リードタイム決定テーブルを参照して各受注オーダ毎に、関係する倉庫の階層，各倉庫間及び送り先への輸配送ルート，各倉庫間及び送り先のリードタイムを決定する。倉庫別引当処理部はこの決定された情報と輸配送便決定テーブルを参照して各受注オーダ毎に、上位倉庫から順に下位倉庫まで受注数量，納期を満たす在庫引当の可能性を判定しつつ引当明細ファイル更新情報と配送オーダとを作成する。ファイル更新部は倉庫別引当処理部において全受注数量を納期までに満たすと判定された受注オーダに関し作成された引当明細ファイル更新情報及び配送オーダに基づき引当明細ファイル及び配送オーダファイルを更新する。
【先行技術文献】
【特許文献】
【０００３】
【特許文献１】特開平０６−２８３６９号公報
【発明の概要】
【発明が解決しようとする課題】
【０００４】
しかしながら、上記特許文献１では、商品の在庫を引き当てる場合に、１つの倉庫を指定することで、自動的に在庫を引き当てることに関して何等記載されていない。
【０００５】
本発明は、上記に鑑みてなされたものであり、商品の在庫を引き当てる場合に、１つの倉庫を指定するだけで、指定された倉庫に在庫がなくても自動的に在庫を引き当てることが可能な在庫管理装置、在庫管理方法、及び在庫管理プログラムを提供することを目的とする。
【課題を解決するための手段】
【０００６】
上述した課題を解決し、目的を達成するために、本発明は、記憶部及び制御部を備えた在庫管理装置であって、前記記憶部には、倉庫と、当該倉庫の上位の倉庫とを関連づけて登録した倉庫マスタと、倉庫と、商品と、当該商品の出荷可能数を含む在庫データと、が格納されており、前記制御部は、受注する場合に、倉庫、商品、及び数量を入力する受注入力処理手段と、前記在庫データを参照し、前記受注入力処理手段で入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理手段と、を備えことを特徴とする。
【０００７】
また、本発明の好ましい態様によれば、前記倉庫マスタには、前記上位の倉庫について更に上位の倉庫を登録可能であり、前記在庫引当処理手段は、当該上位の倉庫に在庫がない場合には、前記倉庫マスタを参照し、当該上位の倉庫に対応する更に上位の倉庫に在庫があるか否かを確認し、在庫がある場合には、当該更に上位の倉庫の在庫を引き当てることにしてもよい。
【０００８】
また、本発明の好ましい態様によれば、前記記憶部には、さらに、商品と、当該商品と互換性のある互換性商品とを関連づけて登録した互換性品番マスタが格納されており、前記在庫引当処理手段は、前記上位の倉庫に在庫が無い場合には、前記互換性品番マスタを参照し、当該商品に対応する互換性商品について、当該倉庫、当該上位の倉庫の順に在庫があるか否かを確認し、在庫のある倉庫の在庫を引き当てることにしてもよい。
【０００９】
また、本発明の好ましい態様によれば、前記互換性品番マスタでは、互換性のある互換性商品を複数登録可能であり、さらに、各互換性商品について、在庫を引き当てる優先順位を登録可能であり、前記在庫引当処理手段は、前記互換性品番マスタにおいて、商品に対応する互換性商品が複数ある場合には、優先順位に従って倉庫の在庫を引き当てることにしてもよい。
【００１０】
また、本発明の好ましい態様によれば、前記記憶部には、商品と仕入先とを関連づけて登録した品番マスタが格納されており、前記制御部は、前記商品に対応する互換性商品について在庫がない場合には、前記品番マスタを参照して、前記商品に対応する仕入先に発注する発注処理手段を備えてもよい。
【００１１】
また、本発明の好ましい態様によれば、前記在庫引当処理手段は、倉庫に入力された数量の全数の在庫がある場合に、在庫の引当を行うことにしてもよい。
【００１２】
また、上述した課題を解決し、目的を達成するために、本発明は、制御部及び記憶部を備えた情報処理装置に実行させるための在庫管理方法であって、前記記憶部には、倉庫と、当該倉庫の上位の倉庫とを関連づけて登録した倉庫マスタと、倉庫と、商品と、当該商品の出荷可能数を含む在庫データと、が格納されており、前記制御部において実行される、受注する場合に、倉庫、商品、及び数量を入力する受注入力処理ステップと、前記在庫データを参照し、前記受注入力処理手段で入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理ステップと、を含むことを特徴とする。
【００１３】
また、上述した課題を解決し、目的を達成するために、本発明は、制御部及び記憶部を備えた情報処理装置に実行させるための在庫管理プログラムであって、前記記憶部には、
倉庫と、当該倉庫の上位の倉庫とを関連づけて登録した倉庫マスタと、倉庫と、商品と、当該商品の出荷可能数を含む在庫データと、が格納されており、前記制御部において、受注する場合に、倉庫、商品、及び数量を入力する受注入力処理ステップと、前記在庫データを参照し、前記受注入力処理手段で入力された倉庫、商品、及び数量について、当該倉庫に在庫が有るか否かを確認し、在庫がある場合には、当該倉庫の在庫を引き当て、当該倉庫に在庫がない場合には、前記倉庫マスタを参照し、当該倉庫に対応する上位の倉庫に在庫があるか否かを確認し、在庫がある場合には、当該上位の倉庫の在庫を引き当てる在庫引当処理ステップと、を実行させるための在庫管理プログラムであることを特徴とする。
【発明の効果】
【００１４】
本発明によれば、商品の在庫を引き当てる場合に、１つの倉庫を指定するだけで、指定された倉庫に在庫がなくても自動的に在庫を引き当てることが可能になるという効果を奏する。
【図面の簡単な説明】
【００１５】
【図１】図１は、本実施の形態に係る在庫管理装置の構成の一例を示すブロック図である。
【図２】図２は、倉庫マスタの構成例を示す図である。
【図３】図３は、互換性品番マスタの構成例を示す図である。
【図４】図４は、品番マスタの構成例を示す図である。
【図５】図５は、在庫データの構成例を示す図である。
【図６】図６は、本実施の形態に係る在庫管理装置の在庫の引当のロジックのフローを示す図である。
【図７】図７は、入力品番で自拠点在庫を引き当てる例（図６のステップＳ１，Ｓ２）を説明するための図である。
【図８】図８は、パーツセンタで指定した品番で在庫を引き当てる例（図６のステップＳ３，Ｓ４）を説明するための図である。
【図９】図９は、パーツセンタで互換品番の在庫を引き当てる例（図６のステップＳ７，Ｓ８）を説明するための図である。
【図１０】図１０は、在庫引当が不可のケースの例（図６のステップＳ９）を説明するための図である。
【発明を実施するための形態】
【００１６】
本発明の実施形態を図面に基づいて詳細に説明する。なお、本発明は本実施の形態により限定されるものではない。  
【００１７】
［１．概要］
例えば、機械関連の保守サポート業務では、大型製品を納入後の保守サポートにおいて、パーツ・部品の交換に伴う部品の発注等で多品種の商品を大量に、取り扱うことが多い。通常の卸業を営む場合は、商品が倉庫に保管され、指定した倉庫に在庫があるかを確認した上で在庫の引当や出荷指示を行うケースが殆どである。従来は、担当者が倉庫の各々の在庫を確認しながら作業を実施していた。
【００１８】
サービス部門の営業所の倉庫に保管している在庫とは別にパーツセンタ等で抱えている在庫も存在している場合、一つ一つ部品がどこに在庫があるかを確認しながら作業せず、自動的に在庫のある場所から出荷できるような仕組みが望まれる。また、倉庫に在庫が存在しなかった場合は、自動的に外部へ調達できるような仕組みが望まれる。
【００１９】
そこで、本実施の形態では、多段階でオペレータが指定した倉庫に対して在庫が無かった場合、上位の倉庫在庫を自動的に探し、受注を受けた全数の数量が存在した倉庫に対して在庫の引当を行い、存在しなかった場合は、発注に回すことが可能なシステム構成とした。また、部品に関してはマイナーチェンジが激しいため、本実施の形態では、代替品があればその代替品も探して引当できるようなシステム構成とした。
【００２０】
［２．構成］
図１を参照して、本実施の形態に係る在庫管理装置の一例について説明する。図１は、本実施の形態に係る在庫管理装置の構成の一例を示すブロック図である。図１において、在庫管理装置１００は、市販のデスクトップ型パーソナルコンピュータである。なお、在庫管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。在庫管理装置１００は、図１に示すように、制御部１０２と通信インターフェース部１０４と記憶部１０６と入出力インターフェース部１０８と、を備えている。在庫管理装置１００が備えている各部は、任意の通信路を介して通信可能に接続されている。  
【００２１】
通信インターフェース部１０４は、ルータ等の通信装置および専用線等の有線または無線の通信回線を介して、在庫管理装置１００をネットワーク３００に通信可能に接続する。通信インターフェース部１０４は、他の装置と通信回線を介してデータを通信する機能を有する。ここで、ネットワーク３００は、在庫管理装置１００と端末装置４００・・・とを相互に通信可能に接続する機能を有し、例えばインターネットやＬＡＮ（Ｌｏｃａｌ  Ａｒｅａ  Ｎｅｔｗｏｒｋ）等である。端末装置４００・・・は、例えば、倉庫、パーツセンタ、営業所等の端末装置である。
【００２２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、および、マイクの他、マウスと協働してポインティングデバイス機能を実現するモニタを用いることができる。なお、以下では、出力装置１１４をモニタ１１４として記載する場合がある。  
【００２３】
記憶部１０６には、各種のデータベース、テーブル、および、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および、光ディスク等を用いることができる。
【００２４】
また、記憶部１０６は、倉庫マスタ１０６ａと、互換性品番マスタ１０６ｂと、品番マスタ１０６ｃと、在庫データファイル１０６ｄとを備えている。図２は、倉庫マスタ１０６ａの構成例を示す図である。図３は、互換性品番マスタ１０６ｂの構成例を示す図である。図４は、品番マスタ１０６ｃの構成例を示す図である。図５は、在庫データの構成例を示す図である。マスタは分割したり統合して構成することが可能である。従って、倉庫マスタ１０６ａ、互換性品番マスタ１０６ｂ、及び品番マスタ１０６ｃは、図２〜図４に示す構成に限られるものではない。
【００２５】
倉庫マスタ１０６ａは、倉庫と当該倉庫の上位の倉庫を指定するためのマスタであり、上位の引当先倉庫コードを保持するためのマスタである。本実施の形態では、営業所倉庫を下位の倉庫、パーツセンタを上位の倉庫とする。倉庫マスタ１０６ａは、図２に示すように、倉庫コード（ＣＤ）、倉庫名、及び引当先倉庫コードのデータを関連づけて登録したテーブル等で構成することができる。図２に示す例では、１行目が、倉庫コード「Ｓ０１０」、倉庫名「東京営業所倉庫」、及び引当先倉庫コード「Ｓ１００」、２行目が、倉庫コード「Ｓ０２０」、倉庫名「大阪営業所倉庫」、及び引当先倉庫コード「Ｓ２００」、３行目が、倉庫コード「Ｓ１００」、倉庫名「東京パーツセンタ」、４行目が、倉庫コード「Ｓ２００」、倉庫名「大阪パーツセンタ」となっている。
【００２６】
互換性品番マスタ１０６ｂは、旧品番に対してマイナーチェンジがあった場合に、上位互換としての新品番を設定するためのマスタである。互換性品番マスタ１０６ｂは、図３に示すように、商品コード（単に「品番」ともいう）、互換先商品コード（単に「互換品番」ともいう）及び優先順位のデータを関連づけて登録したテーブル等で構成することができる。図３に示す例では、１行目が、商品コード「Ａ０００１」、互換先商品コード「ＡＡ００１」、優先順位「１」、２行目が、商品コード「Ａ０００１」、互換先商品コード「ＡＡ００２」、優先順位「２」となっている。
【００２７】
品番マスタ１０６ｃは、主要仕入先を設定し、引当在庫が存在しなかった場合の仕入先を指定するためのマスタである。品番マスタ１０６ｃは、図４に示すように、商品と主要仕入先のデータを関連づけて登録したテーブル等で構成することができる。図４に示す例では、１行目が、商品「Ａ０００１」、主要仕入先「株式会社〇〇」、２行目が、商品「ＡＡ００１」、主要仕入先「株式会社〇〇」、３行目が、商品「ＡＡ００２」、主要仕入先「株式会社〇〇」となっている。
【００２８】
在庫データファイル１０６ｄは、在庫データを格納するためのファイルである。在庫データは、図４に示すように、倉庫コード、倉庫名、商品コード、数量、引当済数、及び出荷可能数のデータを含んでいてもよい。図４に示す例では、１行目が、倉庫コード「Ｓ０１０」、倉庫名「東京営業所倉庫」、商品コード「Ａ０００１」、数量「８個」、引当済数「０個」、及び出荷可能数「８」、２行目が、倉庫コード「Ｓ１００」、倉庫名「東京パーツセンタ」、商品コード「Ａ０００１」、数量「３０個」、引当済数「１０個」、及び出荷可能数「２０」、３行目が、倉庫コード「Ｓ１００」、倉庫名「東京パーツセンタ」、商品コード「ＡＡ００１」、数量「５０個」、引当済数「０個」、及び出荷可能数「５０」となっている。
【００２９】
図１に戻り、制御部１０２は、在庫管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、受注入力処理部１０２ａと、在庫データ処理部１０２ｂと、在庫引当処理部１０２ｃと、発注処理部１０２ｄと、画面表示制御部１０２ｅと、マスタメンテ部１０２ｆと備えている。
【００３０】
受注入力処理部１０２ａは、例えばモニタ１１４に表示される不図示の受注入力画面上でのオペレータの操作に応じて、倉庫、商品、及び数量を入力し、在庫の引当（又は発注）が行われた場合に受注入力を登録する。
【００３１】
在庫データ処理部１０２ｂは各倉庫の商品の入荷・出荷等に伴う在庫状況を確認して、在庫データファイル１０６ｄの在庫データを更新する。
【００３２】
在庫引当処理部１０２ｃは、在庫データファイル１０６ｄの在庫データを参照して、受注入力処理部１０２ａで入力（指定）された倉庫、商品、及び数量について、指定された倉庫に在庫が有るか否かを確認し、在庫がある場合には、当該倉庫の在庫を引き当て、当該倉庫に在庫がない場合には、倉庫マスタ１０６ａを参照し、当該倉庫に対応する上位の倉庫に在庫があるか否かを確認し、在庫がある場合には、当該上位の倉庫の在庫を引き当て、在庫データを更新する。
【００３３】
倉庫マスタ１０６ａは、上位の倉庫について更に上位の倉庫を登録可能であり、在庫引当処理部１０２ｃは、当該上位の倉庫に在庫がない場合には、倉庫マスタ１０６ａを参照し、当該上位の倉庫に対応する更に上位の倉庫に在庫があるか否かを確認し、在庫がある場合には、当該更に上位の倉庫の在庫を引き当てることにしてもよい。
【００３４】
在庫引当処理部１０２ｃは、上位の倉庫に在庫が無い場合には、互換性品番マスタ１０６ｂを参照し、当該商品に対応する互換性商品について、倉庫、上位の倉庫の順に在庫があるか否かを確認し、の在庫のある倉庫の在庫を引き当てることにしてもよい。
【００３５】
在庫引当処理部１０２ｃは、互換性品番マスタ１０６ｂにおいて、商品に対応する互換性商品が複数ある場合には、優先順位に従って倉庫の在庫を引き当てることにしてもよい。
【００３６】
在庫引当処理部１０２ｃは、倉庫に入力された数量の全数の在庫がある場合に、在庫の引当を行うことにしてもよい。
【００３７】
発注処理部１０２ｄは、商品に対応する互換性商品について全数の在庫がない場合には、品番マスタ１０６ｃを参照して、商品に対応する仕入先に発注する発注処理を行う。
【００３８】
画面表示制御部１０２ｅは、モニタ１１４に表示する各種画面（例えば、受注入力画面、発注入力画面等）の各種画面の表示・入力の受付を制御する。
【００３９】
マスタメンテ部１０２ｆは、モニタ１１４に表示される不図示のマスタメンテ画面上でのオペレータの操作に応じて、倉庫マスタ１０６ａ、互換性品番マスタ１０６ｂ、品番マスタ１０６ｃに対して、データの入力・追加・変更・更新等の編集（設定）を行う。
【００４０】
［３．具体例］
本実施の形態に係る在庫管理装置１００の処理の具体例について、図１〜図１０を参照して説明する。図６は、在庫引当処理部１０２ｃの在庫引当のロジックの一例を説明するためのフローを示す図である。以下に説明する具体例では、営業所倉庫を自拠点倉庫（下位の倉庫）と称し、その上位の倉庫をパーツセンタとする。また、以下の具体例では、倉庫に、指定された数量の全数の在庫がある場合に当該倉庫の在庫を引き当てる例について説明する。なお、倉庫に、指定された数量の全数の在庫がなくても、引当可能な数の在庫を順次引き当てることにしてもよい。
【００４１】
図６を参照して、在庫引当処理部１０２ｃの在庫引当のロジックの一例を説明する。図６において、受注入力処理部１０２ａがモニタ１１４に表示される受注入力画面（図７〜図１０参照）上でのオペレータの操作に応じて、倉庫コード、商品コード（品番）、及び数量を指定すると、在庫引当処理部１０２ｃは、在庫データを参照して、入力品番の商品について、自拠点倉庫（指定された倉庫）に指定された数量の全数の在庫があるか否か確認する（ステップＳ１）。
【００４２】
在庫引当処理部１０２ｃは、自拠点在庫がある場合には（ステップＳ１の「Ｙｅｓ」）、入力品番で自拠点在庫を引き当てる（ステップＳ２）。
【００４３】
在庫引当処理部１０２ｃは、自拠点在庫がない場合には（ステップＳ１の「Ｎｏ」）、倉庫マスタ１０６ａを参照し、自拠点倉庫に対応する上位の倉庫であるパーツセンタを取得し、次に、在庫データを参照し、入力品番の商品について、取得したパーツセンタに指定された数量の全数の在庫があるか否か確認する（ステップＳ３）。
【００４４】
在庫引当処理部１０２ｃは、パーツセンタに在庫がある場合には（ステップＳ３の「Ｙｅｓ」）、入力品番でパーツセンタの在庫を引き当てる（ステップＳ４）。
【００４５】
在庫引当処理部１０２ｃは、パーツセンタに在庫がない場合には（ステップＳ３の「Ｎｏ」）、互換性品番マスタ１０６ｂを参照し、入力品番に対応する互換品番（互換先商品コード）を優先順位順に取得し、取得した互換品番の商品について、自拠点在庫に在庫があるか否か確認する（ステップＳ５）。互換品番の商品について、自拠点在庫がある場合には（ステップＳ５の「Ｙｅｓ」）、互換品番で自拠点在庫を引き当てる（ステップＳ６）。
【００４６】
在庫引当処理部１０２ｃは、互換品番の商品について、自拠点在庫がない場合には（ステップＳ５の「Ｎｏ」）、互換品番でパーツセンタに在庫があるか否かを確認する（ステップＳ７）。互換品番でパーツセンタに在庫がある場合には、互換品番でパーツセンタの在庫を引き当てる（ステップＳ８）。
【００４７】
ステップＳ５〜Ｓ８では、有効な互換品番があるだけ、優先順位順に、自拠点在庫、パーツセンタ在庫の順に在庫の確認を繰り返す。具体的には、まず、優先順位「１」の互換品番について、自拠点在庫、パーツセンタ在庫の順に在庫を確認し、次に、優先順位「２」の互換品番について、自拠点在庫、パーツセンタ在庫の順に在庫を確認し、これを優先順位順に繰り返す。
【００４８】
図７〜図１０を参照して、図６のフローの具体例を説明する。図７〜図１０は、図６のフローの具体例を説明するための図である。以下の説明では、上記図２〜図５のマスタ及び在庫データのデータ例を使用する。
【００４９】
図７は、入力品番で自拠点在庫を引き当てる例（図６のステップＳ１，Ｓ２）を説明するための図である。
【００５０】
図７において、図７（Ａ）は受注入力画面５００の一例を示す図である。図７（Ａ）に示す受注入力画面５００（登録前）の例では、受注番号、倉庫、受注日、商品コード、数量を入力する欄が設けられている。オペレータが倉庫、受注日、商品コード、数量を入力すると、在庫の確認が行われ、在庫の引き当てが行われる。受注番号は受注入力の登録時に自動採番される。
【００５１】
図７（Ａ）に示す受注入力画面５００の例では、倉庫コード「Ｓ０１０（東京営業所倉庫）」、受注日「２０１８／７／２０」、商品コード「Ａ０００１」、数量「５」が入力されている。
【００５２】
図７（Ｂ）に示す在庫データにおいて、倉庫コード「Ｓ０１０（東京営業所倉庫）」の商品コード「Ａ０００１」の出荷可能数は「８個」であるので、引き当て可能である。倉庫コード「Ｓ０１０」の在庫を引き当て、図７（Ｄ）に示すように、引当済数を「０個」から「５個」に、出荷可能数を「８個」から「３個」に更新する。在庫が引当可能である場合には、図７（Ｃ）に示すように、受注番号「Ｊ０００１」が自動採番されて受注入力が登録される。
【００５３】
図８は、パーツセンタで指定した品番で在庫を引き当てる例（図６のステップＳ３，Ｓ４）を説明するための図である。
【００５４】
図８において、図８（Ａ）に示す受注入力画面５００（登録前）の例では、倉庫コード「Ｓ０１０（東京営業所倉庫）」、受注日「２０１８／７／２０」、商品コード「Ａ０００１」、数量「１５」が入力されている。
【００５５】
図８（Ｂ）に示す在庫データにおいて、倉庫コード「Ｓ０１０（東京営業所倉庫）」の商品コード「Ａ０００１」の出荷可能数は「８個」であるので、引き当てることはできない。倉庫マスタ１０６ａにおいて、倉庫コード「Ｓ０１０（東京営業所倉庫）」には、引当先倉庫コード「Ｓ１００（東京パーツセンタ）」が設定されているので、倉庫コード「Ｓ１００（東京パーツセンタ）」の在庫を確認すると、倉庫コード「Ｓ１００」の商品コード「Ａ０００１」の出荷可能数は「２０個」であるので、倉庫コード「Ｓ１００」の在庫を引き当る。図８（Ｄ）に示すように、引当済数を「１０個」から「２５個」に、出荷可能数を「２０個」から「５個」に更新する。また、図８（Ｃ）に示すように、倉庫コード「Ｓ１００（東京パーツセンタ）」が変更され、受注番号「Ｊ０００１」が自動採番されて受注入力が登録される。
【００５６】
図９は、パーツセンタにおいて互換品番で在庫を引き当てる例（図６のステップＳ７，Ｓ８）を説明するための図である。
【００５７】
図９において、図９（Ａ）に示す受注入力画面５００の例では、倉庫コード「Ｓ０１０（東京営業所倉庫）」、受注日「２０１８／７／２０」、商品コード「Ａ０００１」、数量「４０」が入力されている。
【００５８】
図９（Ｂ）に示す在庫データの例では、倉庫コード「Ｓ０１０（東京営業所倉庫）」の商品コード「Ａ０００１」の出荷可能数は「２０個」であるので、倉庫コード「Ｓ０１０」の在庫を引き当てることができない。互換性品番マスタ１０６ｂにおいて、商品コード「Ａ０００１」には、優先順位「１」の互換性商品コード「ＡＡ００１」が設定されているので、互換性商品コード「ＡＡ００１」について在庫データを参照すると、まず、倉庫コード「Ｓ０１０（東京営業所倉庫）」の在庫がないため、倉庫コード「Ｓ１００（東京パーツセンタ）」の在庫を確認すると、出荷可能数は「５０個」であるので、倉庫コード「Ｓ１００」の在庫を引き当る。図９（Ｄ）に示すように、引当済数を「０個」から「４０個」に、出荷可能数を「５０個」から「１０個」に更新する。また、図９（Ｃ）に示すように、倉庫コード「Ｓ１００（東京パーツセンタ）」、商品コード「ＡＡ００１」に変更され、受注番号「Ｊ０００１」が自動採番されて受注入力が登録される。
【００５９】
図１０は、在庫引当が不可のケースの例（図６のステップＳ９）を説明するための図である。
【００６０】
図１０において、図１０（Ａ）に示す受注入力画面５００の例では、倉庫コード「Ｓ０１０（東京営業所倉庫）」、受注日「２０１８／７／２０」、商品コード「Ａ０００１」、」数量「８０」が入力されている。
【００６１】
図１０（Ｂ）に示す在庫データにおいて、商品コード「Ａ０００１」の数量「８０」については、互換性品番「ＡＡ００１」、「ＡＡ００２」を含め、倉庫コード「Ｓ０１０（東京営業所倉庫）」及び「Ｓ１００（東京パーツセンタ）」に在庫がないので、発注を行う。具体的には、品番マスタ１０６ｃを参照して、商品コード「Ａ０００１」に対応する仕入先「株式会社〇〇」に発注を行う。また、図１０（Ｃ）に示すように、仕入先「株式会社〇〇」が追加されて、受注番号「Ｊ０００１」が自動採番されて受注入力が登録される。発注を行う場合は受発注データとして処理する。
【００６２】
以上説明したように、本実施の形態によれば、倉庫と、当該倉庫の上位の倉庫とを関連づけて登録した倉庫マスタ１０６ａと、倉庫と、商品と、当該商品の出荷可能数を含む在庫データとを格納した記憶部１０６と、受注する場合に、倉庫、商品、及び数量を指定する受注入力処理部１０２ａと、在庫データを参照し、受注入力処理部１０２ａで指定された倉庫、商品、及び数量について、指定された倉庫に在庫が有るか否かを確認し、在庫がある場合には、当該倉庫の在庫を引き当て、当該倉庫に在庫がない場合には、倉庫マスタ１０６ａを参照し、当該倉庫に対応する上位の倉庫に在庫があるか否かを確認し、在庫がある場合には、当該上位の倉庫の在庫を引き当てる在庫引当処理部１０２ｃを備えているので、商品の在庫を引き当てる場合に、１つの倉庫を指定するだけで、指定された倉庫に在庫がなくても上位の倉庫を検索して自動的に在庫を引き当てることが可能となる。
【００６３】
［４．他の実施形態］
本発明は、上述した実施形態以外にも、特許請求の範囲に記載した技術的思想の範囲内において種々の異なる実施形態にて実施されてよいものである。  
【００６４】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００６５】
また、本明細書中や図面中で示した処理手順、制御手順、具体的名称、各処理の登録データや検索条件等のパラメータを含む情報、画面例、データベース構成については、特記する場合を除いて任意に変更することができる。  
【００６６】
また、在庫管理装置１００に関して、図示の各構成要素は機能概念的なものであり、必ずしも物理的に図示の如く構成されていることを要しない。  
【００６７】
例えば、在庫管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて在庫管理装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。  
【００６８】
また、このコンピュータプログラムは、在庫管理装置１００に対して任意のネットワークを介して接続されたアプリケーションプログラムサーバに記憶されていてもよく、必要に応じてその全部または一部をダウンロードすることも可能である。  
【００６９】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００７０】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００７１】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００７２】
また、在庫管理装置１００は、既知のパーソナルコンピュータまたはワークステーション等の情報処理装置として構成してもよく、また、任意の周辺装置が接続された当該情報処理装置として構成してもよい。また、在庫管理装置１００は、当該情報処理装置に本実施形態で説明した処理を実現させるソフトウェア（プログラムまたはデータ等を含む）を実装することにより実現してもよい。  
【００７３】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。  
【符号の説明】
【００７４】
１００  在庫管理装置
１０２  制御部
１０２ａ  受注入力処理部
１０２ｂ  在庫データ処理部
１０２ｃ  在庫引当処理部
１０２ｄ  発注処理部
１０２ｅ  画面表示制御部
１０２ｆ  マスタメンテ部
１０４  通信インターフェース部
１０６  記憶部
１０６ａ  倉庫マスタ
１０６ｂ  互換性品番マスタ
１０６ｃ  品番マスタ
１０６ｄ  在庫データファイル
１０８  入出力インターフェース部
１１２  入力装置
１１４  出力装置
２００  サーバ
３００  ネットワーク
４００  端末装置
【図１】
2020126366.tif 000003
【図２】
2020126366.tif 000004
【図３】
2020126366.tif 000005
【図４】
2020126366.tif 000006
【図５】
2020126366.tif 000007
【図６】
2020126366.tif 000008
【図７】
2020126366.tif 000009
【図８】
2020126366.tif 000010
【図９】
2020126366.tif 000011
【図１０】
2020126366.tif 000012